【手続補正書】
【提出日】令和2年3月6日(2020.3.6)
【手続補正１】
【補正対象書類名】明細書
【補正対象項目名】０１９５
【補正方法】変更
【補正の内容】
【０１９５】
様々な例を説明してきた。これら及びその他の例は、以下の特許請求の範囲に含まれる。以下、追加の実施形態について説明する。
［１］
作業者に割り当てられた聴力保護の物品、及び前記作業者に割り当てられたポータブルコンピューティングデバイスと、
前記ポータブルコンピューティングデバイスに通信によって接続されたリモートコンピューティングデバイスと、
を備えているシステムであって、
前記リモートコンピューティングデバイスは、１つ以上のコンピュータプロセッサと、命令を含んでいるメモリとを備えており、前記命令は、前記１つ以上のコンピュータプロセッサによって実行されるときに、前記１つ以上のコンピュータプロセッサに対して、
作業環境の種々異なる各位置での種々異なる騒音レベルを示す騒音レベルデータを受信することと、
前記ポータブルコンピューティングデバイスから受信された位置データに基づいて、所定期間にわたって前記作業者によって受け取られた騒音量を決定することと、
前記聴力保護の物品、前記騒音量、及び種々異なる各位置での種々異なる騒音レベルを示す前記騒音レベルデータに少なくとも部分的に基づいて、前記作業者の現在の位置とは異なる騒音レベルを有する前記作業環境内の更新された位置を識別することと、
前記作業者に対して前記現在の位置から前記更新された位置へ移動するよう指示する、前記ポータブルコンピューティングデバイスへの通知を生成することと、
を実行させる、システム。
［２］
前記作業者の前記現在の位置とは異なる前記騒音レベルを有する前記作業環境内の前記更新された位置を識別するために、前記メモリが命令を含んでおり、前記命令は、前記１つ以上のコンピュータプロセッサによって実行される場合に、前記１つ以上のコンピュータプロセッサに対して、
前記現在の位置とは異なる前記作業環境内の１つ以上の位置を識別することであって、前記更新された位置が前記１つ以上の位置に含まれている、ことと、
前記１つ以上の位置の各位置ごとに、前記作業者の合計騒音暴露が、定められた期間に対する最大合計騒音暴露量しきい値を超えるかどうかを判定することであって、前記作業者の前記合計騒音暴露は、（ｉ）前記期間にわたって前記作業者によって受け取られた前記騒音量、及び（ｉｉ）前記作業者が、前記期間を除く前記定められた期間の残りの部分の間に前記各位置で受け取ることになる騒音量に基づく、ことと、
前記更新された位置を、前記作業者の前記合計騒音暴露が最大合計騒音暴露量しきい値を満たさない前記１つ以上の位置のうちの１つとして識別することと、
を実行させる、［１］に記載のシステム。
［３］
前記リモートコンピューティングデバイスは、作業環境の種々異なる各位置での種々異なる騒音レベルを示す前記騒音レベルデータを、前記作業環境内の１人以上の作業者によって着用されている１つ以上のポータブル騒音レベルモニターから受信する、［１］に記載のシステム。
［４］
前記メモリが命令を含んでおり、前記命令は、前記１つ以上のコンピュータプロセッサによって実行されるときに、前記１つ以上のコンピュータプロセッサに対して、前記作業環境の種々異なる各位置での種々異なる騒音レベルを示す騒音マップを、表示のために生成させる、［１］に記載のシステム。
［５］
前記メモリが命令を含んでおり、前記命令は、前記１つ以上のコンピュータプロセッサによって実行されるときに、前記１つ以上のコンピュータプロセッサに対して、前記作業者に対して前記現在の位置から前記更新された位置へ移動するよう指示する前記通知を前記ポータブルコンピューティングデバイスに送信させる、［１］に記載のシステム。
［６］
前記ポータブルコンピューティングデバイスから受信された前記位置データに基づいて、前記期間にわたって前記作業者によって受け取られた前記騒音量を決定するために、前記メモリが命令を含んでおり、前記命令は、前記１つ以上のコンピュータプロセッサによって実行されるときに、前記１つ以上のコンピュータプロセッサに対して、前記作業者の識別子に基づいて、前記期間の間の前記作業者に関連付けられた騒音暴露データを選択させる、［１］に記載のシステム。
［７］
前記リモートコンピューティングデバイスは、種々異なる各作業者と、前記各作業者に割り当てられた種々異なる種類の個人用保護具（ＰＰＥ）との間の関連付けを定めるデータを更に格納し、前記種々異なる種類のＰＰＥは、落下保護用のＰＰＥ、呼吸用のＰＰＥ、頭部／目／顔面用のＰＰＥ、溶接用のＰＰＥ、又は聴力保護用のＰＰＥのうちの１つ以上を含む、［１］に記載のシステム。
［８］
前記作業者の前記現在の位置とは異なる前記騒音レベルを有する前記作業環境内の前記更新された位置を識別するために、前記メモリが命令を含んでおり、前記命令は、前記１つ以上のコンピュータプロセッサによって実行されるときに、前記１つ以上のコンピュータプロセッサに対して、
前記作業環境内での前記作業者による少なくとも１つのＰＰＥの物品の使用に少なくとも部分的に基づいて、リスクスコアを生成させる、［１］に記載のシステム。
［９］
リモートコンピューティングデバイスによって、作業者に関連付けられた作業環境の種々異なる各位置での種々異なる騒音レベルを示す騒音レベルデータを受信することであって、聴力保護の物品が前記作業者に割り当てられており、ポータブルコンピューティングデバイスが前記作業者に割り当てられている、ことと、
前記ポータブルコンピューティングデバイスから受信された位置データに基づいて、所定期間にわたって前記作業者によって受け取られた騒音量を決定することと、
前記聴力保護の物品、前記騒音量、及び種々異なる各位置での種々異なる騒音レベルを示す前記騒音レベルデータに少なくとも部分的に基づいて、前記作業者の現在の位置とは異なる騒音レベルを有する前記作業環境内の更新された位置を識別することと、
前記作業者に対して前記現在の位置から前記更新された位置へ移動するよう指示する、前記ポータブルコンピューティングデバイスへの通知を生成することと、
を含む、方法。
［１０］
前記現在の位置とは異なる前記作業環境内の１つ以上の位置を識別することであって、前記更新された位置が前記１つ以上の位置に含まれている、ことと、
前記１つ以上の位置の各位置ごとに、前記作業者の合計騒音暴露が、定められた期間に対する最大合計騒音暴露量しきい値を超えるかどうかを判定することであって、前記作業者の前記合計騒音暴露が、（ｉ）前記期間にわたって前記作業者によって受け取られた前記騒音量、及び（ｉｉ）前記作業者が、前記期間を除く前記定められた期間の残りの部分の間に前記各位置で受け取ることになる騒音量に基づく、ことと、
前記更新された位置を、前記作業者の前記合計騒音暴露が最大合計騒音暴露量しきい値を満たさない前記１つ以上の位置のうちの１つとして識別することと、
を更に含む、［９］に記載の方法。
［１１］
前記騒音レベルデータを受信することは、前記作業環境内の１人以上の作業者によって着用されている１つ以上のポータブル騒音レベルモニターから、作業環境の異なる各位置での異なる騒音レベルを示す前記騒音レベルデータを受信することを更に含む、［９］に記載の方法。
［１２］
前記作業環境の種々異なる各位置での種々異なる騒音レベルを示す騒音マップを表示のために生成することを更に含む、［９］に記載の方法。
［１３］
前記作業者に対して前記現在の位置から前記更新された位置へ移動するよう指示する前記通知を前記ポータブルコンピューティングデバイスへ送信することを更に含む、［９］に記載の方法。
［１４］
前記ポータブルコンピューティングデバイスから受信された前記位置データに基づいて、前記期間にわたって前記作業者によって受け取られた前記騒音量を決定することは、前記作業者の識別子に基づいて、前記期間の間の前記作業者に関連付けられた騒音暴露データを選択することを更に含む、［９］に記載の方法。
［１５］
前記リモートコンピューティングデバイスによって、種々異なる各作業者と、前記各作業者に割り当てられた種々異なる種類の個人用保護具（ＰＰＥ）との間の関連付けを定めるデータを格納することを更に含んでおり、前記異なる種類のＰＰＥは、落下保護用のＰＰＥ、呼吸用のＰＰＥ、頭部／目／顔面用のＰＰＥ、溶接用のＰＰＥ、又は聴力保護用のＰＰＥのうちの１つ以上を含む、［９］に記載の方法。
［１６］
１つ以上のコンピュータプロセッサと、
前記１つ以上のコンピュータプロセッサによって実行されるときに、前記１つ以上のコンピュータプロセッサに対して、［９］〜［１５］のいずれか一項に記載の方法を実行させる命令を含んでいるメモリと、
を備えている、コンピューティングデバイス。
［１７］
命令がエンコードされた非一時的コンピュータ可読記憶媒体であって、前記命令は、実行されるときに、コンピューティングデバイスの少なくとも１つのプロセッサに対して、［９］〜［１５］のいずれか一項に記載の方法を実行させる、非一時的コンピュータ可読記憶媒体。
［１８］
［９］〜［１５］のいずれか一項に記載の方法を実行するための手段を備える装置。
［１９］
作業者に割り当てられた聴力保護の物品、及び前記作業者に割り当てられたポータブルコンピューティングデバイスと、
前記ポータブルコンピューティングデバイスに通信によって接続されたリモートコンピューティングデバイスと、
を備えているシステムであって、
前記リモートコンピューティングデバイスは、１つ以上のコンピュータプロセッサと、命令を含んでいるメモリとを備えており、前記命令は、前記１つ以上のコンピュータプロセッサによって実行されるときに、前記１つ以上のコンピュータプロセッサに対して、
作業環境の第１の領域内で特定の日の第１の期間にわたって前記作業者が曝された第１の騒音量を示す第１の騒音暴露データを受信することと、
前記作業者が前記特定の日に作業環境の第２の領域に移動した後に、前記第２領域内で前記特定の日の第２の期間にわたって前記作業者が曝された第２の騒音量を示す第２の騒音暴露データを受信することと、
前記第１及び第２の騒音暴露データに基づいて、前記第１及び第２の期間にわたって前記作業者が曝された累積騒音量が前記特定の日のしきい値を超えていることを決定することと、
前記第１及び第２の期間にわたって前記作業者が曝された前記累積騒音量が前記特定の日のしきい値を超えたことに基づいて、前記ポータブルコンピューティングデバイスへの通知を生成することと、
を実行させる、システム。
［２０］
前記特定の日の前記しきい値は、前記特定の日の最大許容騒音暴露量よりも小さい、［１９］に記載のシステム。
［２１］
前記リモートコンピューティングデバイスは、少なくとも第１又は第２の騒音暴露データを、前記作業環境内の１人以上の作業者によって着用されている１つ以上のポータブル騒音レベルモニターから受信する、［１９］に記載のシステム。
［２２］
前記第１及び第２の騒音暴露データに基づいて、前記第１及び第２の期間にわたって前記作業者が曝された前記累積騒音量が前記特定の日のしきい値を超えていることを決定するために、前記メモリが命令を含んでおり、前記命令は、前記１つ以上のコンピュータプロセッサによって実行されるときに、前記１つ以上のコンピュータプロセッサに対して、作業者に割り当てられた前記聴力保護の物品によって提供される減衰音量に少なくとも部分的に基づいて、前記累積騒音量が前記しきい値を超えていることを更に決定させる、［１９］に記載のシステム。
［２３］
前記第１の領域内の第１の騒音レベルは前記第２の領域内の第２の騒音レベルとは異なる、［１９］に記載のシステム。
［２４］
前記特定の日は、前記コンピューティングデバイスに格納された既定の期間であり、前記第１及び第２の期間に基づく累積時間は、前記既定の期間よりも長い、［１９］に記載のシステム。
［２５］
前記聴力保護の物品が第１の聴力保護の物品であり、前記メモリが命令を含んでおり、前記命令は、前記１つ以上のコンピュータプロセッサによって実行されるときに、前記１つ以上のコンピュータプロセッサに対して、
前記作業者が前記特定の日に前記作業環境の前記第２の領域に移動したことを決定することに応答して、前記第２の領域内の騒音レベルが前記第１の領域内の騒音レベルよりも大きいことを決定することと、
前記第２の領域内の前記騒音レベルが前記第１の領域内の前記騒音レベルよりも大きいとの前記決定に少なくとも部分的に基づいて、前記第１の聴力保護の物品よりも音を減衰させる第２の聴力保護の物品を識別することと、
前記第２の聴力保護の物品の指示を出力のために生成することと、
を実行させる、［１９］に記載のシステム。
［２６］
前記リモートコンピューティングデバイスは、種々異なる各作業者と、前記各作業者に割り当てられた種々異なる種類の個人用保護具（ＰＰＥ）との間の関連付けを定めるデータを更に格納し、前記種々異なる種類のＰＰＥは、落下保護用のＰＰＥ、呼吸用のＰＰＥ、頭部／目／顔面用のＰＰＥ、溶接用のＰＰＥ、又は聴力保護用のＰＰＥのうちの１つ以上を含む、［１９］に記載のシステム。
［２７］
前記第１及び第２の期間にわたって前記作業者が曝された前記累積騒音量に基づいて、前記ポータブルコンピューティングデバイスへの前記通知を生成するために、前記メモリが命令を含んでおり、前記命令は、前記１つ以上のコンピュータプロセッサによって実行されるときに、前記１つ以上のコンピュータプロセッサに対して、
前記作業環境内での前記作業者による少なくとも１つのＰＰＥの物品の使用に少なくとも部分的に基づいて、リスクスコアを生成させる、［１］に記載のシステム。
［２８］
リモートコンピューティングデバイスによって、作業環境の第１の領域内で特定の日に第１の期間にわたって作業者が曝された第１の騒音量を示す第１の騒音暴露データ受信することであって、聴力保護の物品が前記作業者に割り当てられており、ポータブルコンピューティングデバイスが前記作業者に割り当てられている、ことと、
前記作業者が前記特定の日に作業環境の第２の領域に移動した後に、前記第２領域内で前記特定の日の第２の期間にわたって前記作業者が曝された第２の騒音量を示す第２の騒音暴露データを受信することと、
前記第１及び第２の騒音暴露データに基づいて、前記第１及び第２の期間にわたって前記作業者が曝された累積騒音量が前記特定の日のしきい値を超えていることを決定することと、
前記第１及び第２の期間にわたって前記作業者が曝された前記累積騒音量が前記特定の日のしきい値を超えたことに基づいて、前記ポータブルコンピューティングデバイスへの通知を生成することと、
を含む、方法。
［２９］
前記特定の日の前記しきい値は、前記特定の日の最大許容騒音暴露量よりも小さい、［２８］に記載の方法。
［３０］
前記第１又は第２の騒音暴露データを受信することは、少なくとも前記第１又は第２の騒音暴露データを、前記作業環境内の１人以上の作業者によって着用されている１つ以上のポータブル騒音レベルモニターから受信することを含む、［２８］に記載の方法。
［３１］
前記第１及び第２の期間にわたって前記作業者が曝された前記累積騒音量が前記特定の日のしきい値を超えていることを決定することは、作業者に割り当てられた前記聴力保護の物品によって提供される減衰音量に少なくとも部分的に基づいて、前記累積騒音量が前記しきい値を超えていることを決定することを更に含む、［２８］に記載の方法。
［３２］
前記第１の領域内の第１の騒音レベルは前記第２の領域内の第２の騒音レベルとは異なる、［２８］に記載の方法。
［３３］
前記特定の日が、前記コンピューティングデバイスに格納された既定の期間であり、前記第１及び第２の期間に基づく累積時間が、前記既定の期間よりも長い、［２８］に記載の方法。
［３４］
前記聴力保護の物品は第１の聴力保護の物品であり、前記方法は、
前記作業者が前記特定の日に前記作業環境の前記第２の領域に移動したことを決定することに応答して、前記第２の領域内の騒音レベルが前記第１の領域内の騒音レベルよりも大きいことを決定することと、
前記第２の領域内の前記騒音レベルが前記第１の領域内の前記騒音レベルよりも大きいとの前記決定に少なくとも部分的に基づいて、前記第１の聴力保護の物品よりも音を減衰させる第２の聴力保護の物品を識別することと、
前記第２の聴力保護の物品の指示を出力のために生成することと、
を更に含む、［２８］に記載の方法。
［３５］
前記リモートコンピューティングデバイスは、種々異なる各作業者と、前記各作業者に割り当てられた種々異なる種類の個人用保護具（ＰＰＥ）との間の関連付けを定めるデータを更に格納し、前記異なる種類のＰＰＥは、落下保護用のＰＰＥ、呼吸用のＰＰＥ、頭部／目／顔面用のＰＰＥ、溶接用のＰＰＥ、又は聴力保護用のＰＰＥのうちの１つ以上を含む、［２８］に記載の方法。
［３６］
１つ以上のコンピュータプロセッサと、
前記１つ以上のコンピュータプロセッサによって実行されるときに、前記１つ以上のコンピュータプロセッサに対して、［２８］〜［３５］のいずれか一項に記載の方法を実行させる命令を含んでいるメモリと、
を備えている、コンピューティングデバイス。
［３７］
命令がエンコードされた非一時的コンピュータ可読記憶媒体であって、前記命令は、実行されるときに、コンピューティングデバイスの少なくとも１つのプロセッサに対して、［２８］〜［３５］のいずれか一項に記載の方法を実行させる、非一時的コンピュータ可読記憶媒体。
［３８］
［２８］〜［３５］のいずれか一項に記載の方法を実行するための手段を備える装置。
［３９］
聴力保護の物品のセットであって、前記聴力保護の物品のセット内の聴力保護の各物品はそれぞれ種々異なる種類の聴力保護の物品である、聴力保護の物品のセットと、
前記ポータブルコンピューティングデバイスに通信によって接続されたコンピューティングデバイスと、
を備えているシステムであって、前記コンピューティングデバイスは、１つ以上のコンピュータプロセッサと、命令を含んでいるメモリとを備えており、前記命令は、前記１つ以上のコンピュータプロセッサによって実行されるときに、前記１つ以上のコンピュータプロセッサに対して、
作業者の適合試験データを受信することであって、前記適合試験データは、前記作業者によって着用されている第１の種類の聴力保護の物品に関して、前記作業者に対する騒音レベルの減衰を示す値を含んでいる、ことと、
前記適合試験データ及び作業環境の騒音レベルデータに少なくとも部分的に基づいて、前記第１の種類の聴力保護の物品によって提供される音量減衰が前記作業環境のしきい値を満たすかどうかを判定することと、
前記第１の種類の聴力保護の物品によって提供される前記音量減衰が前記しきい値を満たすかどうかの前記判定に応答して、前記作業環境に関して第２の異なる種類の聴力保護の物品を示す推奨を表示のために生成することと、
を実行させる、システム。
［４０］
前記メモリが命令を含んでおり、前記命令は、前記１つ以上のコンピュータプロセッサによって実行されるときに、前記１つ以上のコンピュータプロセッサに対して、
前記しきい値が満たされていないことの決定に応答して、前記第２の種類の聴力保護の物品が前記作業環境の前記しきい値を満たす音量減衰を提供することに少なくとも部分的に基づいて、前記第２の種類の聴力保護の物品を選択させる、［３９］に記載のシステム。
［４１］
前記メモリが命令を含んでおり、前記命令は、前記１つ以上のコンピュータプロセッサによって実行されるときに、前記１つ以上のコンピュータプロセッサに対して、
前記しきい値が満たされていることの決定に応答して、前記第１の種類の聴力保護の物品及び前記第２の種類の聴力保護の物品を同時に示すグラフィカルユーザインターフェイスを、表示のために生成させる、［３９］に記載のシステム。
［４２］
前記メモリが命令を含んでおり、前記命令は、前記１つ以上のコンピュータプロセッサによって実行されるときに、前記１つ以上のコンピュータプロセッサに対して、
前記作業環境の前記騒音レベルデータを、複数の異なる種類の聴力保護の物品の前記音量減衰レベルと比較することと、
前記しきい値を満たす音量減衰を提供する前記複数の聴力保護の物品のセットを選択することであって、前記第２の異なる種類の聴力保護が、前記複数の聴力保護の物品のセットに含まれている、ことと、
を実行させる、［３９］に記載のシステム。
［４３］
前記メモリが命令を含んでおり、前記命令は、前記１つ以上のコンピュータプロセッサによって実行されるときに、前記１つ以上のコンピュータプロセッサに対して、
前記作業者に割り当てられた少なくとも１つの他の種類の個人用保護具（ＰＰＥ）を決定することと、
前記第２の種類の聴力保護が前記少なくとも１つの他の種類のＰＰＥと両立できるかどうかを判定することと、
前記第２の種類の聴力保護が前記少なくとも１つの他の種類のＰＰＥと両立できるとの前記決定に基づいて、前記第２の種類の聴力保護を選択することと、
を実行させる、［３９］に記載のシステム。
［４４］
前記ＰＰＥの種類は、動力付き空気浄化人工呼吸装置から前記作業者へ清浄空気を供給するヘッドトップ物品、保護眼鏡、又は前記作業者の頭部を保護する保護用ヘルメットのうちの少なくとも１つである、［４３］に記載のシステム。
［４５］
前記作業環境の騒音レベルデータは、前記作業環境内の１人以上の作業者によって着用されている１つ以上の騒音レベルモニターからの測定値に基づく、［３９］に記載のシステム。
［４６］
前記コンピューティングデバイスは、種々異なる各作業者と、前記各作業者に割り当てられた種々異なる種類の個人用保護具（ＰＰＥ）との間の関連付けを定めるデータを更に格納し、前記種々異なる種類のＰＰＥは、落下保護用のＰＰＥ、呼吸用のＰＰＥ、頭部／目／顔面用のＰＰＥ、溶接用のＰＰＥ、又は聴力保護用のＰＰＥのうちの１つ以上を含む、［３９］に記載のシステム。
［４７］
前記第１の種類の聴力保護の物品によって提供される音量減衰が前記作業環境の前記しきい値を満たすかどうかを決定するために、前記メモリが命令を含んでおり、前記命令は、前記１つ以上のコンピュータプロセッサによって実行されるときに、前記１つ以上のコンピュータプロセッサに対して、
前記作業環境内での前記作業者による少なくとも１つのＰＰＥの物品の使用に少なくとも部分的に基づいて、リスクスコアを生成することと、
前記リスクスコアが前記しきい値を満たしていることを決定することと、
を実行させる、［３９］に記載のシステム。
［４８］
コンピューティングデバイスによって作業者の適合試験データを受信することであって、前記適合試験データは、前記作業者によって着用された第１の種類の聴力保護の物品に関して前記作業者に対する騒音レベルの減衰を示す値を含んでいる、ことと、
前記適合試験データ及び作業環境の騒音レベルデータに少なくとも部分的に基づいて、前記第１の種類の聴力保護の物品によって提供される音量減衰が前記作業環境のしきい値を満たすかどうかを判定することと、
前記第１の種類の聴力保護の物品によって提供される前記音量減衰が前記しきい値を満たすかどうかの判定に応答して、前記作業環境に関して第２の異なる種類の聴力保護の物品を示す推奨を表示のために生成することであって、前記第１及び第２の種類の聴力保護の物品それぞれが、それぞれ異なる種類の聴力保護の物品である、ことと、
を含む方法。
［４９］
前記しきい値が満たされていないことの決定に応答して、前記第２の種類の聴力保護の物品が前記作業環境の前記しきい値を満たす音量減衰を提供することに少なくとも部分的に基づいて、前記第２の種類の聴力保護の物品を選択することを更に含む、［４８］に記載の方法。
［５０］
前記しきい値が満たされていることの決定に応答して、前記第１の種類の聴力保護の物品及び前記第２の種類の聴力保護の物品を同時に示すグラフィカルユーザインターフェイスを、表示のために生成することを更に含む、［４８］に記載の方法。
［５１］
前記作業環境の前記騒音レベルデータを、複数の種々異なる種類の聴力保護の物品の前記音量減衰レベルと比較することと、
前記しきい値を満たす音量減衰を提供する前記複数の聴力保護の物品のセットを選択することであって、前記第２の異なる種類の聴力保護が、前記複数の聴力保護の物品のセットに含まれている、ことと、
を更に含む、［４８］に記載の方法。
［５２］
前記作業者に割り当てられた少なくとも１つの他の種類の個人用保護具（ＰＰＥ）を決定することと、
前記第２の種類の聴力保護が前記少なくとも１つの他の種類のＰＰＥと両立できるかどうかを判定することと、
前記第２の種類の聴力保護が前記少なくとも１つの他の種類のＰＰＥと両立できるとの前記決定に基づいて、前記第２の種類の聴力保護を選択することと、
を更に含む、［４８］に記載の方法。
［５３］
前記ＰＰＥの種類は、動力付き空気浄化人工呼吸装置から前記作業者へ清浄空気を供給するヘッドトップ物品、保護眼鏡、又は前記作業者の頭部を保護する保護用ヘルメットのうちの少なくとも１つである、［５２］に記載の方法。
［５４］
前記作業環境の騒音レベルデータは、前記作業環境内の１人以上の作業者によって着用されている１つ以上の騒音レベルモニターからの測定値に基づく、［４８］に記載の方法。
［５５］
前記コンピューティングデバイスは、種々異なる各作業者と、前記各作業者に割り当てられた種々異なる種類の個人用保護具（ＰＰＥ）との間の関連付けを定めるデータを更に格納し、前記異なる種類のＰＰＥは、落下保護用のＰＰＥ、呼吸用のＰＰＥ、頭部／目／顔面用のＰＰＥ、溶接用のＰＰＥ、又は聴力保護用のＰＰＥのうちの１つ以上を含む、［４８］に記載の方法。
［５６］
１つ以上のコンピュータプロセッサと、
前記１つ以上のコンピュータプロセッサによって実行されるときに、前記１つ以上のコンピュータプロセッサに対して、［４８］〜［５５］のいずれか一項に記載の方法を実行させる命令を含んでいるメモリと、
を備えている、コンピューティングデバイス。
［５７］
命令がエンコードされた非一時的コンピュータ可読記憶媒体であって、前記命令は、実行されるときに、コンピューティングデバイスの少なくとも１つのプロセッサに対して、［４８］〜［５５］のいずれか一項に記載の方法を実行させる、非一時的コンピュータ可読記憶媒体。
［５８］
［４８］〜［５５］のいずれか一項に記載の方法を実行するための手段を備える装置。
［５９］
作業環境内の機械の物品と、
作業者に割り当てられた騒音レベルモニターと、
１つ以上のコンピュータプロセッサ及び命令を含んでいるメモリを備えているコンピューティングデバイスと、を備えているシステムであって、前記命令は、前記１つ以上のコンピュータプロセッサによって実行されるときに、前記１つ以上のコンピュータプロセッサに対して、
動作中に前記機械の物品によって生成される基準騒音レベルを示す基準騒音データを格納することと、
前記作業者に割り当てられた前記騒音レベルモニターから、前記機械の物品の位置に対応する騒音データを受信することと、
基準騒音データが前記機械の物品の位置に対応する前記騒音データによって超過されていることを決定することと、
前記機械の物品の位置に対応する前記騒音データが前記基準騒音データをしきい値量だけ超えているという通知を生成することと、
を実行させる、システム。
［６０］
前記通知は、前記機械の物品には検査又はメンテナンスのうちの少なくとも１つが必要であることを示す、［５９］に記載のシステム。
［６１］
前記メモリが命令を含んでおり、前記命令は、前記１つ以上のコンピュータプロセッサによって実行されるときに、前記１つ以上のコンピュータプロセッサに対して、前記基準騒音データが前記機械の物品の前記位置に対応する前記騒音データによって超過されていることの決定に応答して、前記機械の前記動作を変更させるメッセージを前記機械の物品に送信させる、［５９］に記載のシステム。
［６２］
前記基準騒音データは、（ｉ）１人以上の作業者に割り当てられた１つ以上の騒音レベルモニターからの騒音データ、又は（ｉｉ）種々異なる作業環境内の１つ以上の他の機械の物品のセットからの騒音データのうちの少なくとも１つに基づいており、前記１つ以上の他の機械の物品は前記機械の物品と同じ種類である、［５９］に記載のシステム。
［６３］
前記基準騒音データは第１の騒音レベルを示し、前記機械の物品の前記位置に対応する前記騒音データは第２の騒音レベルを表す、［５９］に記載のシステム。
［６４］
前記しきい値量はゼロより大きい、［５９］に記載のシステム。
［６５］
前記コンピューティングデバイスは、種々異なる各作業者と、前記各作業者に割り当てられた種々異なる種類の個人用保護具（ＰＰＥ）との間の関連付けを定めるデータを更に格納し、前記異なる種類のＰＰＥは、落下保護用のＰＰＥ、呼吸用のＰＰＥ、頭部／目／顔面用のＰＰＥ、溶接用のＰＰＥ、又は聴力保護用のＰＰＥのうちの１つ以上を含む、［５９］に記載のシステム。
［６６］
コンピューティングデバイスによって、動作中に機械の物品によって生成される基準騒音レベルを示す基準騒音データを格納することであって、前記機械の物品が作業環境内に存在し、騒音レベルモニターが作業者に割り当てられている、ことと、
前記作業者に割り当てられた前記騒音レベルモニターから、前記機械の物品の位置に対応する騒音データを受信することと、
基準騒音データが、前記機械の物品の位置に対応する前記騒音データによって超過されていることを決定することと、
前記機械の物品の位置に対応する前記騒音データが前記基準騒音データをしきい値量だけ超えているという通知を生成することと、
を含む、方法。
［６７］
前記通知は、前記機械の物品に検査又はメンテナンスのうちの少なくとも１つが必要であることを示す、［６６］に記載の方法。
［６８］
前記基準騒音データが前記機械の物品の前記位置に対応する前記騒音データによって超過されていることの決定に応答して、前記機械の前記動作を変更させるメッセージを前記機械の物品に送信することを更に含む、［６６］に記載の方法。
［６９］
前記基準騒音データは、（ｉ）１人以上の作業者に割り当てられた１つ以上の騒音レベルモニターからの騒音データ、又は（ｉｉ）異なる作業環境内の１つ以上の他の機械の物品のセットからの騒音データのうちの少なくとも１つに基づいており、前記１つ以上の他の機械の物品は前記機械の物品と同じ種類である、［６６］に記載の方法。
［７０］
前記基準騒音データは第１の騒音レベルを示し、前記機械の物品の前記位置に対応する前記騒音データは第２の騒音レベルを表す、［６６］に記載の方法。
［７１］
前記しきい値量はゼロより大きい、［６６］に記載の方法。
［７２］
前記コンピューティングデバイスは、種々異なる各作業者と、前記各作業者に割り当てられた種々異なる種類の個人用保護具（ＰＰＥ）との間の関連付けを定めるデータを更に格納し、前記異なる種類のＰＰＥは、落下保護用のＰＰＥ、呼吸用のＰＰＥ、頭部／目／顔面用のＰＰＥ、溶接用のＰＰＥ、又は聴力保護用のＰＰＥのうちの１つ以上を含む、［６６］に記載の方法。
［７３］
１つ以上のコンピュータプロセッサと、
前記１つ以上のコンピュータプロセッサによって実行されるときに、前記１つ以上のコンピュータプロセッサに対して、［６６］〜［７２］のいずれか一項に記載の方法を実行させる命令を含んでいるメモリと、
を備えている、コンピューティングデバイス。
［７４］
命令がエンコードされた非一時的コンピュータ可読記憶媒体であって、前記命令は、実行されるときに、コンピューティングデバイスの少なくとも１つのプロセッサに対して、［６６］〜［７３］のいずれか一項に記載の方法を実行させる、非一時的コンピュータ可読記憶媒体。
［７５］
［６６］〜［７３］のいずれか一項に記載の方法を実行するための手段を備える装置。
［７６］
個人用保護具（ＰＰＥ）の物品のセットであって、前記ＰＰＥの物品のセットの各物品は異なる種類である、個人用保護具（ＰＰＥ）の物品のセットと、
コンピューティングデバイスと、
を備えているシステムであって、前記コンピューティングデバイスは、１つ以上のコンピュータプロセッサと、命令を含んでいるメモリとを備えており、前記命令は、前記１つ以上のコンピュータプロセッサによって実行されるときに、前記１つ以上のコンピュータプロセッサに対して、
リモートコンピューティングデバイスから、前記リモートコンピューティングデバイスにおいて前記コンピューティングデバイスによって表示のために生成された少なくとも１つのユーザインターフェイスに含まれている入力制御部のセットに提供されたユーザ入力の指示に基づいて、ＰＰＥデータ及び作業者データを受信することであって、前記入力制御部は、少なくとも、前記ＰＰＥの物品の各セットを表すＰＰＥデータ及び前記作業者を表す作業者データを受け取る、ことと、
前記作業者の作業環境及び前記ＰＰＥの物品のセットによって課される１つ以上の制約を満たす前記ＰＰＥの物品の所定のセットを選択することに応答して、前記ＰＰＥの物品の前記所定のセットの各グラフィック表現を含んでいる少なくとも１つのグラフィカルユーザインターフェイスを、表示のために生成することと、
前記作業者の前記ＰＰＥの物品の前記所定のセットのうちの１つ以上を選択するユーザ入力の少なくとも１つの指示を受信することに応答して、前記ＰＰＥデータ及び前記作業者データに基づいて、前記作業者と、前記選択された１つ以上の所定のＰＰＥの物品との間の関連付けを定める関連付けデータを格納することと、
前記作業者が前記選択された１つ以上の所定のＰＰＥの物品を使用して前記作業環境内で作業を開始した後に、前記作業環境内での作業者の作業中の前記作業環境を表す作業環境データ、及び前記作業者と前記選択された１つ以上の所定のＰＰＥの物品との間の前記関連付けデータのそれぞれに少なくとも部分的に基づく、前記作業者に関する作業者の健康の指示を出力のために生成することと、
を実行させる、システム。
［７７］
前記作業者の健康の指示は、前記作業環境内での作業者によるＰＰＥの使用に少なくとも部分的に基づくリスクスコアを含む、［７６］に記載のシステム。
［７８］
前記指示の出力を生成するために、前記メモリが命令を含んでおり、前記命令は、前記１つ以上のコンピュータプロセッサによって実行されるときに、前記１つ以上のコンピュータプロセッサに対して、作業者の集団の全体的健康の一部としてレポート及び前記作業者の健康の指示を出力させる、［７６］に記載のシステム。
［７９］
前記レポートは、作業者の集団の全体的健康における傾向を示す、［７６］に記載のシステム。
［８０］
前記メモリが命令を含んでおり、前記命令は、前記１つ以上のコンピュータプロセッサによって実行されるときに、前記１つ以上のコンピュータプロセッサに対して、前記リスクスコアがしきい値を満たすことに応答して訓練の推奨を生成させる、［７５］に記載のシステム。
［８１］
前記メモリが命令を含んでおり、前記命令は、前記１つ以上のコンピュータプロセッサによって実行されるときに、前記１つ以上のコンピュータプロセッサに対して、タスク又は調査を生成させる、［７６］に記載のシステム。
［８２］
前記コンピューティングデバイスは、種々異なる各作業者と、前記各作業者に割り当てられた種々異なる種類の個人用保護具（ＰＰＥ）との間の関連付けを定めるデータを更に格納し、前記異なる種類のＰＰＥは、落下保護用のＰＰＥ、呼吸用のＰＰＥ、頭部／目／顔面用のＰＰＥ、溶接用のＰＰＥ、又は聴力保護用のＰＰＥのうちの１つ以上を含む、［７６］に記載のシステム。
【手続補正２】
【補正対象書類名】特許請求の範囲
【補正対象項目名】全文
【補正方法】変更
【補正の内容】
【特許請求の範囲】
【請求項１】
作業者に割り当てられた聴力保護の物品、及び前記作業者に割り当てられたポータブルコンピューティングデバイスと、
前記ポータブルコンピューティングデバイスに通信によって接続されたリモートコンピューティングデバイスと、
を備えているシステムであって、
前記リモートコンピューティングデバイスは、１つ以上のコンピュータプロセッサと、命令を含んでいるメモリとを備えており、前記命令は、前記１つ以上のコンピュータプロセッサによって実行されるときに、前記１つ以上のコンピュータプロセッサに対して、
作業環境の第１の領域内で特定の日の第１の期間にわたって前記作業者が曝された第１の騒音量を示す第１の騒音暴露データを受信することと、
前記作業者が前記特定の日に作業環境の第２の領域に移動した後に、前記第２領域内で前記特定の日の第２の期間にわたって前記作業者が曝された第２の騒音量を示す第２の騒音暴露データを受信することと、
前記第１及び第２の騒音暴露データに基づいて、前記第１及び第２の期間にわたって前記作業者が曝された累積騒音量が前記特定の日のしきい値を超えていることを決定することと、
前記第１及び第２の期間にわたって前記作業者が曝された前記累積騒音量が前記特定の日のしきい値を超えたことに基づいて、前記ポータブルコンピューティングデバイスへの通知を生成することと、
を実行させる、システム。
【請求項２】
前記特定の日の前記しきい値は、前記特定の日の最大許容騒音暴露量よりも小さい、請求項１に記載のシステム。
【請求項３】
前記リモートコンピューティングデバイスは、少なくとも第１又は第２の騒音暴露データを、前記作業環境内の１人以上の作業者によって着用されている１つ以上のポータブル騒音レベルモニターから受信する、請求項１に記載のシステム。
【請求項４】
前記第１及び第２の騒音暴露データに基づいて、前記第１及び第２の期間にわたって前記作業者が曝された前記累積騒音量が前記特定の日のしきい値を超えていることを決定するために、前記メモリが命令を含んでおり、前記命令は、前記１つ以上のコンピュータプロセッサによって実行されるときに、前記１つ以上のコンピュータプロセッサに対して、作業者に割り当てられた前記聴力保護の物品によって提供される減衰音量に少なくとも部分的に基づいて、前記累積騒音量が前記しきい値を超えていることを更に決定させる、請求項１に記載のシステム。
【請求項５】
前記第１の領域内の第１の騒音レベルは前記第２の領域内の第２の騒音レベルとは異なる、請求項１に記載のシステム。
【請求項６】
前記特定の日は、前記コンピューティングデバイスに格納された既定の期間であり、前記第１及び第２の期間に基づく累積時間は、前記既定の期間よりも長い、請求項１に記載のシステム。
【請求項７】
前記聴力保護の物品が第１の聴力保護の物品であり、前記メモリが命令を含んでおり、前記命令は、前記１つ以上のコンピュータプロセッサによって実行されるときに、前記１つ以上のコンピュータプロセッサに対して、
前記作業者が前記特定の日に前記作業環境の前記第２の領域に移動したことを決定することに応答して、前記第２の領域内の騒音レベルが前記第１の領域内の騒音レベルよりも大きいことを決定することと、
前記第２の領域内の前記騒音レベルが前記第１の領域内の前記騒音レベルよりも大きいとの前記決定に少なくとも部分的に基づいて、前記第１の聴力保護の物品よりも音を減衰させる第２の聴力保護の物品を識別することと、
前記第２の聴力保護の物品の指示を出力のために生成することと、
を実行させる、請求項１に記載のシステム。
【請求項８】
前記リモートコンピューティングデバイスは、種々異なる各作業者と、前記各作業者に割り当てられた種々異なる種類の個人用保護具（ＰＰＥ）との間の関連付けを定めるデータを更に格納し、前記種々異なる種類のＰＰＥは、落下保護用のＰＰＥ、呼吸用のＰＰＥ、頭部／目／顔面用のＰＰＥ、溶接用のＰＰＥ、又は聴力保護用のＰＰＥのうちの１つ以上を含む、請求項１に記載のシステム。
【請求項９】
前記第１及び第２の期間にわたって前記作業者が曝された前記累積騒音量に基づいて、前記ポータブルコンピューティングデバイスへの前記通知を生成するために、前記メモリが命令を含んでおり、前記命令は、前記１つ以上のコンピュータプロセッサによって実行されるときに、前記１つ以上のコンピュータプロセッサに対して、
前記作業環境内での前記作業者による少なくとも１つのＰＰＥの物品の使用に少なくとも部分的に基づいて、リスクスコアを生成させる、請求項１に記載のシステム。
【請求項１０】
１つ以上のコンピュータプロセッサと、
前記１つ以上のコンピュータプロセッサによって実行されるときに、前記１つ以上のコンピュータプロセッサに対して、以下の動作を実行させる命令を含んでいるメモリと、を備え、
前記動作は、
リモートコンピューティングデバイスによって、作業環境の第１の領域内で特定の日に第１の期間にわたって作業者が曝された第１の騒音量を示す第１の騒音暴露データ受信することであって、聴力保護の物品が前記作業者に割り当てられており、ポータブルコンピューティングデバイスが前記作業者に割り当てられている、ことと、
前記作業者が前記特定の日に作業環境の第２の領域に移動した後に、前記第２領域内で前記特定の日の第２の期間にわたって前記作業者が曝された第２の騒音量を示す第２の騒音暴露データを受信することと、
前記第１及び第２の騒音暴露データに基づいて、前記第１及び第２の期間にわたって前記作業者が曝された累積騒音量が前記特定の日のしきい値を超えていることを決定することと、
前記第１及び第２の期間にわたって前記作業者が曝された前記累積騒音量が前記特定の日のしきい値を超えたことに基づいて、前記ポータブルコンピューティングデバイスへの通知を生成することと、
を含む、コンピューティングデバイス。
【請求項１１】
前記特定の日の前記しきい値は、前記特定の日の最大許容騒音暴露量よりも小さい、請求項１０に記載のコンピューティングデバイス。
【請求項１２】
前記第１又は第２の騒音暴露データを受信するために、前記メモリは、実行されるときに、前記１つ以上のコンピュータプロセッサに対して、少なくとも前記第１又は第２の騒音暴露データを、前記作業環境内の１人以上の作業者によって着用されている１つ以上のポータブル騒音レベルモニターから受信させる命令を含んでいる、請求項１０に記載のコンピューティングデバイス。
【請求項１３】
前記第１及び第２の期間にわたって前記作業者が曝された前記累積騒音量が前記特定の日のしきい値を超えていることを決定するために、前記メモリは、実行されるときに、前記１つ以上のコンピュータプロセッサに対して、作業者に割り当てられた前記聴力保護の物品によって提供される減衰音量に少なくとも部分的に基づいて、前記累積騒音量が前記しきい値を超えていることを決定させる命令を更に含んでいる、請求項１０に記載のコンピューティングデバイス。
【請求項１４】
前記第１の領域内の第１の騒音レベルは前記第２の領域内の第２の騒音レベルとは異なる、請求項１０に記載のコンピューティングデバイス。
【請求項１５】
前記特定の日が、前記コンピューティングデバイスに格納された既定の期間であり、前記第１及び第２の期間に基づく累積時間が、前記既定の期間よりも長い、請求項１０に記載のコンピューティングデバイス。
【請求項１６】
前記聴力保護の物品は第１の聴力保護の物品であり、前記メモリは、前記１つ以上のコンピュータプロセッサによって実行されるときに、前記１つ以上のコンピュータプロセッサに対して、
前記作業者が前記特定の日に前記作業環境の前記第２の領域に移動したことを決定することに応答して、前記第２の領域内の騒音レベルが前記第１の領域内の騒音レベルよりも大きいことを決定することと、
前記第２の領域内の前記騒音レベルが前記第１の領域内の前記騒音レベルよりも大きいとの前記決定に少なくとも部分的に基づいて、前記第１の聴力保護の物品よりも音を減衰させる第２の聴力保護の物品を識別することと、
前記第２の聴力保護の物品の指示を出力のために生成することと、
を実行させる命令を更に含んでいる、請求項１０に記載のコンピューティングデバイス。
【請求項１７】
前記リモートコンピューティングデバイスは、種々異なる各作業者と、前記各作業者に割り当てられた種々異なる種類の個人用保護具（ＰＰＥ）との間の関連付けを定めるデータを更に格納し、前記異なる種類のＰＰＥは、落下保護用のＰＰＥ、呼吸用のＰＰＥ、頭部／目／顔面用のＰＰＥ、溶接用のＰＰＥ、又は聴力保護用のＰＰＥのうちの１つ以上を含む、請求項１０に記載のコンピューティングデバイス。
【請求項１８】
命令がエンコードされた非一時的コンピュータ可読記憶媒体であって、前記命令は、実行されるときに、コンピューティングデバイスの少なくとも１つのプロセッサに対して、以下の動作を実行させるものであり、前記動作は、
作業環境の第１の領域内で特定の日の第１の期間にわたって前記作業者が曝された第１の騒音量を示す第１の騒音暴露データを受信することと、
前記作業者が前記特定の日に作業環境の第２の領域に移動した後に、前記第２領域内で前記特定の日の第２の期間にわたって前記作業者が曝された第２の騒音量を示す第２の騒音暴露データを受信することと、
前記第１及び第２の騒音暴露データに基づいて、前記第１及び第２の期間にわたって前記作業者が曝された累積騒音量が前記特定の日のしきい値を超えていることを決定することと、
前記第１及び第２の期間にわたって前記作業者が曝された前記累積騒音量が前記特定の日のしきい値を超えたことに基づいて、前記ポータブルコンピューティングデバイスへの通知を生成することと、を含む
非一時的コンピュータ可読記憶媒体。